(57)【要約】【課題】高さの異なるフードを備えたレンジフードを安価に製作できるレンジフードとする。【解決手段】前部周面板３５、後部周面板３１、一方の側部周面板３２、他方の側部周面板３３の４つの周面板と、上面板３４を有したフード本体３と、前記フード本体３の少なくとも２つの周面板の全面を覆い、前記上面板３４よりも上方に突出した少なくとも２つの外観用板４から成るフードを備えているレンジフード。【選択図】図１
2020118302.tif 000002
【特許請求の範囲】
【請求項１】
前部周面板、後部周面板、一方の側部周面板、他方の側部周面板の４つの周面板と、上面板を有したフード本体と、前記フード本体の少なくとも２つの前記周面板の全面を覆い、前記上面板よりも上方に突出した少なくとも２つの外観用板から成るフードを備えていることを特徴とするレンジフード。
【請求項２】
請求項１に記載のレンジフードにおいて、
前記外観用板は、前記前部周面板を覆う前部外観用板と前記一方の側部周面板を覆う側部外観用板の２つ、前記前部周面板を覆う前部外観用板と前記他方の側部周面板を覆う側部外観用板の２つ、前記前部周面板を覆う前部外観用板と前記一方の側部周面板を覆う側部外観用板と前記後部周面板を覆う後部外観用板の３つ、前記前部周面板を覆う前部外観用板と前記他方の側部周面板を覆う側部外観用板と前記後部周面板を覆う後部外観用板の３つ、前記前部周面板を覆う前部外観用板と前記両方の側部周面板を覆う２つの側部外観用板の３つ、前記前部周面板を覆う前部外観用板と前記後部周面板を覆う後部外観用板と前記両方の側部周面板を覆う２つの側部外観用板の４つのいずれか１つであるレンジフード。
【請求項３】
請求項１又は２に記載のレンジフードにおいて、
前記側部外観用板は前記側部周面板に接しているレンジフード。
【請求項４】
請求項１から３のいずれかに記載のレンジフードにおいて、
前記外観用板における少なくともいずれか１つの外観用板の内側に補強部材が設けられ、前記補強部材は前記フード本体に固着されているレンジフード。
【請求項５】
請求項４に記載のレンジフードにおいて、
前記補強部材は、前記フード本体の上面板に接触し、かつ前記外観用板の上端面より上方に突出していないレンジフード。
【請求項６】
請求項４又は５に記載のレンジフードにおいて、
前記補強部材は、前記外観用板の高さ方向と直角な幅方向の全長に亘って設けてあるレンジフード。
【請求項７】
請求項１から６のいずれかに記載のレンジフードにおいて、
前記フード本体の下面は開口し、その開口部には内面パネルが取り付けられ、
前記外観用板の下部には内向きのフランジを有し、前記フランジは、前記内面パネルとフード本体との間に挟まれているレンジフード。
【請求項８】
請求項７に記載のレンジフードにおいて、
前記外観用板のフランジの先端部分には、斜め下向きの屈曲部を有し、前記内面パネルは、前記フランジにおける屈曲部よりも外側に当接しているレンジフード。
【請求項９】
請求項２から８のいずれかに記載のレンジフードにおいて、
前記外観用板は、前記前部外観用板と１つの前記側部外観用板を有し、
前記フード本体の前記前部周面板と前記両方の側部周面板からなる前面側角部のうち少なくとも片方は凹み、前記前部外観用板の前記側部外観用板側の端部と前記側部外観用板の前端部は折り曲げられ、各折り曲げ部が凹み部に収められているレンジフード。
【請求項１０】
請求項２から８のいずれかに記載のレンジフードにおいて、
前記外観用板は、前記前部外観用板と２つの側部外観用板を有し、
前記フード本体の前記前部周面板と前記両方の側部周面板からなる前面側角部はそれぞれ凹み、前記前部外観用板の両方の側部外観用板側の両端部と前記両方の側部外観用板の前端部はそれぞれ折り曲げられ、各折り曲げ部が凹み部にそれぞれ収められているレンジフード。
【発明の詳細な説明】
【技術分野】
【０００１】
本発明は、調理器具の上方に設置されて調理により発生する油煙などを捕集して屋外等へ排気するレンジフードに関する。
【背景技術】
【０００２】
調理器具の上方に設置されて調理により発生する油煙などを捕集し、屋外等へ排気するレンジフードには様々な形態のものがある。例えば、深型レンジフード、平型レンジフード、薄型レンジフード、スクエア型レンジフードがある。
深型レンジフードは、例えば、特許文献１に開示されているようなレンジフードで、送風機を内蔵し、前面が開口したフードと、前板からなり、油煙の捕獲空間が深く形成されていることを特徴としている。
平型レンジフードは、例えば、特許文献２に開示されているようなレンジフードで、送風機を内蔵するフードの高さが比較的低い（高さが２００ｍｍ程度）ことを特徴としている。このため、梁が出ている台所や天井高さが低い台所にも対応可能である。
薄型レンジフードは、例えば、特許文献３に開示されているようなレンジフードで、平型レンジフードのフードよりも高さが低いフードの天面に送風機ボックスが搭載され、幕板で送風機ボックスを見えないようにしている。
スクエア型レンジフードは、例えば、特許文献４に開示されているようなレンジフードで、平型レンジフードのフードよりも高さが高いフードに送風機を内蔵している。
【先行技術文献】
【特許文献】
【０００３】
【特許文献１】特開２０１２−３２１３２号公報
【特許文献２】特開２０１４−２２８２４４号公報
【特許文献３】特開２０１７−９００２５号公報
【特許文献４】実開平４−１０６４４５号公報
【発明の概要】
【発明が解決しようとする課題】
【０００４】
近年、レンジフードを使用する使用者の好みや、レンジフードを設置する場所の条件などから、高さの異なるレンジフードが要求されている。
平型レンジフード、スクエア型レンジフードはフードの高さがレンジフードの高さとなるので、その要求を満足するためには、高さの異なるフードを備えたレンジフードとしなければならない。
このためには、高さの異なるフードを製作することになるので、レンジフードが高価となる。
つまり、高さの異なるフードを備えたレンジフードを製作するためには、フードに設ける送風機とフィルタ等の取り付け方、取付位置などを考慮して新たに設計するので、その手間と時間のためにフードの製作コストが高くなる。
【０００５】
また、フードは、前部周面板と後部周面板と一方の側部周面板と他方の側部周面板の４つの周面板と、上面板（転面板）を組み合わせているので、高さの異なるフードを製作するには、高さに合わせた上下寸法の４つの周面板を製作して組み合わせることになる。このために、組み合わせるための装置を周面板の上下寸法に応じて調整すること、周面板の上下寸法に合わせた治具などを必要とするので、フードの製作コストが高くなる。
これらのことで、レンジフードが高価となる。
【０００６】
本発明は、上記の課題を解決するために為されたものであり、その目的は、高さの異なるフードを備えたレンジフードを安価に製作することができるレンジフードを提供することである。
【課題を解決するための手段】
【０００７】
本発明者等は、近年要求されている高さの異なるフードを備えたレンジフードについて調査したところ、フードの高さとは外観上の高さであり、フードとしての機能は何ら変わりがなく、設置した状態のフードを見たときの高さが異なっていればよいことを見出し、本発明に至った。
【０００８】
本発明のレンジフードは、前部周面板、後部周面板、一方の側部周面板、他方の側部周面板の４つの周面板と、上面板を有したフード本体と、前記フード本体の少なくとも２つの前記周面板の全面を覆い、前記上面板よりも上方に突出した少なくとも２つの外観用板から成るフードを備えていることを特徴とするレンジフードである。
【０００９】
本発明のレンジフードにおいては、前記外観用板は、前記前部周面板を覆う前部外観用板と前記一方の側部周面板を覆う側部外観用板の２つ、前記前部周面板を覆う前部外観用板と前記他方の側部周面板を覆う側部外観用板の２つ、前記前部周面板を覆う前部外観用板と前記一方の側部周面板を覆う側部外観用板と前記後部周面板を覆う後部外観用板の３つ、前記前部周面板を覆う前部外観用板と前記他方の側部周面板を覆う側部外観用板と前記後部周面板を覆う後部外観用板の３つ、前記前部周面板を覆う前部外観用板と前記両方の側部周面板を覆う２つの側部外観用板の３つ、前記前部周面板を覆う前部外観用板と前記後部周面板を覆う後部外観用板と前記両方の側部周面板を覆う２つの側部外観用板の４つのいずれか１つであるレンジフードとすることができる。
このレンジフードによれば、レンジフードの設置のタイプ、例えば、壁付け、横付け、天吊りなどによりレンジフードの使用者などが少なくとも目視可能な周面板を外観用板で覆うので、外観上のフードの高さが高いレンジフードを安価に製作することができる。また、レンジフードの使用者などが目視可能な周面板のみを外観用板で覆う場合は、外観用板の枚数を少なくできる。
【００１０】
本発明のレンジフードにおいては、前記側部外観用板は前記側部周面板に接しているレンジフードとすることができる。
このレンジフードによれば、フードの幅寸法を変えることなく外観上のフードの高さが高いレンジフードを製作できる。
【００１１】
本発明のレンジフードにおいては、前記外観用板における少なくともいずれか１つの外観用板の内側に補強部材が設けられ、前記補強部材は前記フード本体に固着されているレンジフードとすることができる。
このレンジフードによれば、外観用板をフード本体に強固に取り付けできる。
【００１２】
本発明のレンジフードにおいては、前記補強部材は、前記フード本体の上面板に接触し、かつ前記外観用板の上端面より上方に突出していないレンジフードとすることができる。
このレンジフードによれば、外観用板の高さ方向の歪みを防止できる。さらに、補強部材がフードの高さに影響しない。
【００１３】
本発明のレンジフードにおいては、前記補強部材は、前記外観用板の高さ方向と直角な幅方向の全長に亘って設けてあるレンジフードとすることができる。
このレンジフードによれば、外観用板の幅方向の歪みを防止できる。
【００１４】
本発明のレンジフードにおいては、前記フード本体の下面は開口し、その開口部には内面パネルが取り付けられ、前記外観用板の下部には内向きのフランジを有し、前記フランジは、前記内面パネルとフード本体との間に挟まれているレンジフードとすることができる。
このレンジフードによれば、外観用板の下部をフード本体と内面パネルで支持し、外観用板を強固に取り付けることができる。
【００１５】
本発明のレンジフードにおいては、前記外観用板のフランジの先端部分には、斜め下向きの屈曲部を有し、前記内面パネルは、前記フランジにおける屈曲部よりも外側に当接しているレンジフードとすることができる。
このレンジフードによれば、内面パネルを取り付ける時に、フランジの屈曲部をガイドとして位置決めでき、内面パネルを簡単に位置決めして取り付けることができる。
【００１６】
本発明のレンジフードにおいては、前記外観用板は、前記前部外観用板と１つの前記側部外観用板を有し、前記フード本体の前記前部周面板と前記両方の側部周面板からなる前面側角部のうち少なくとも片方は凹み、前記前部外観用板の前記側部外観用板側の端部と前記側部外観用板の前端部は折り曲げられ、各折り曲げ部が凹み部に収められているレンジフードとすることができる。
このレンジフードによれば、前部外観用板の側部外観用板側の端面と側部外観用板の前端面がレンジフード使用者などから見えないようにできるので、１つの側部外観用板を有するレンジフードの意匠性が良い。さらに、フードの奥行が必要以上に大きくなることがない。
【００１７】
本発明のレンジフードにおいては、前記外観用板は、前記前部外観用板と２つの側部外観用板を有し、前記フード本体の前記前部周面板と前記両方の側部周面板からなる前面側角部はそれぞれ凹み、前記前部外観用板の両方の側部外観用板側の両端部と前記両方の側部外観用板の前端部はそれぞれ折り曲げられ、各折り曲げ部が凹み部にそれぞれ収められているレンジフードとすることができる。
このレンジフードによれば、前部外観用板の両端面と２つの側部外観用板の前端面がレンジフード使用者などから見えないようにできるので、２つの側部外観用板を有するレンジフードの意匠性が良い。さらに、フードの奥行が必要以上に大きくなることがない。
【発明の効果】
【００１８】
本発明のレンジフードによれば、高さの異なるフードを備えたレンジフードを安価に製作できる。
【図面の簡単な説明】
【００１９】
【図１】本発明のレンジフードの上面視斜視図である。
【図２】本発明のレンジフードの下面視斜視図である。
【図３】平型レンジフードの上面視斜視図である。
【図４】平型レンジフードの下面視斜視図である。
【図５】図１に示すフード本体の上面視斜視図である。
【図６】図２に示すフード本体の下面視斜視図である。
【図７】一方の側部外観用板を備えたフード本体の上面視斜視図である。
【図８】一方の側部外観用板を備えたフード本体の下面視斜視図である。
【図９】補強部材の内側視斜視図である。
【図１０】補強部材の外側視斜視図である。
【図１１】一方の側部外観用板を備えたフード本体の正面図である。
【図１２】図１１に示すフード本体の左側面図である。
【図１３】図１２に示すフード本体のＡ−Ａ断面図である。
【図１４】一方の側部外観用板と前部外観用板と後部外観用板を備えたフード本体の上面視斜視図である。
【図１５】一方の側部外観用板と前部外観用板と後部外観用板を備えたフード本体の下面視斜視図である。
【図１６】内面パネルを備えたフード本体の下面視斜視図である。
【図１７】図１６に示すフード本体の正面図である。
【図１８】図１７に示すフード本体の左側面図である。
【図１９】図１８に示すフード本体のＢ−Ｂ断面図である。
【図２０】図１９に示すフード本体のＣ部拡大図である。
【図２１】図１９に示すフード本体のＤ部拡大図である。
【図２２】図１７に示すフード本体のＥ―Ｅ断面図である。
【図２３】図１８に示すフード本体のＦ−Ｆ断面図である。
【図２４】レンジフードの設置タイプの概略説明図である。
【発明を実施するための形態】
【００２０】
本発明の実施の形態を図面に基づいて説明する。
本発明のレンジフードの全体構成を図１と図２に基づいて説明する。図１はレンジフードを上方から見た上面視斜視図、図２はレンジフードを下方から見た下面視斜視図である。
レンジフード１は、フード２を有している。フード２は、フード本体３と、そのフード本体３の周面を覆う外観用板４を有している。
フード本体３内には、送風機（図示せず）とフィルタ（図示せず）が設けられている。フード本体３の下部には内面パネル５と整流板６が設けてあり、内面パネル５と整流板６との間に吸気口（図示せず）を形成している。
【００２１】
フード本体３は、図３と図４に示すように、前部周面板３０と後部周面板３１と一方の側部周面板３２と他方の側部周面板３３の４つの周面板と、上面板３４とで下面が開口した直方体の箱形状である。
前部周面板３０の一方の側端面３０ａと一方の側部周面板３２の外側面（表面）３２ａは同一面で直角に連続している。つまり、前部周面板３０と一方の側部周面板３２からなる前面側角部は直角である。
前部周面板３０の他方の側端面３０ｂと他方の側部周面板３３の外側面（表面）３３ａは同一面で直角に連続している。つまり、前部周面板３０と他方の側部周面板３３からなる前面側角部は直角である。
【００２２】
前部周面板３０の内側面（裏面）にレンジフードを運転操作するためのスイッチ７が取り付けてある。スイッチ７の操作ボタン７ａは、前部周面板３０の外側面（表面）３０ｃから前方に突出している。
すなわち、図３と図４に示すフード本体３は、平型レンジフードとして用いられるもので、外観を見栄え良くするためなどの理由で、前部周面板３０と両方の側部周面板３２、３３からなる前面側角部をそれぞれ直角としてある。
【００２３】
この平型レンジフードであるフード本体３に外観用板４を取り付けて図１、図２に示すレンジフード１とする作業を工程順に説明する。
図５と図６に示すように、前部周面板３０、内面パネル５、整流板６、フィルタを取り外し、新しい前部周面板３５（以下単に前部周面板３５という）を取り付ける。
前部周面板３５の外側面３５ａにスイッチ７を取り付け、後に述べる前部外観用板を取り付けた状態で、操作ボタン７ａが前部外観用板の外側面から突出するようにしている。スイッチ７は前部周面板３０から外したものであるが、新しいものでもよい。
図６に示すように、内面パネル５、整流板６、フィルタを外したことで送風機８が露出している。
【００２４】
前部周面板３５の幅（一方の側端面３５ｂから他方の側端面３５ｃまでの長さ）は、図３、図４に示す前部周面板３０の幅よりも短く、一方の側端面３５ｂと一方の側部周面板３２の前端面３２ｂは９０度に連続して鉤型に凹み、前部周面板３５と一方の側部周面板３２からなる前面側角部は凹み部３６を有している。他方の側端面３５ｃと他方の側部周面板３３の前端面３３ｂは、９０度に連続して鉤型に凹み、前部周面板３５と他方の側部周面板３３からなる前面側角部は凹み部３６を有している。
両方の前面側角部が凹み部３６を有するようにしたが、どちらか一方の前面側角部にのみ凹み部３６を有するようにしてもよい。この場合は、前部周面板３５の幅を少し長くし、どちらか一方の側端面をどちらか一方の側部周面板の外側面と同一面に連続して前面側角部を直角とする。
【００２５】
図７と図８に示すように、フード本体３に一方の側部外観用板４０を取り付け、一方の側部周面板３２の全面を覆っている。
一方の側部外観用板４０の高さ（上下方向の寸法）は一方の側部周面板３２の高さ（フード本体３の高さ）より高く、一方の側部外観用板４０の上端はフード本体３の上面板３４よりも上方に突出している。
一方の側部外観用板４０の内側における高さ方向の中間に、補強部材９が取り付けてある。補強部材９の高さは、一方の側部外観用板４０の高さよりも低く、補強部材９は一方の側部外観用板４０の上端面より上方に突出しないとともに、補強部材９の下端面と一方の側部外観用板４０の下端面との間の寸法は、一方の側部周面板３２の高さと同一（僅かな誤差があってもよい）としてある。なお、補強部材９の下端面と一方の側部外観用板４０の下端面との間の寸法は、一方の側部周面板３２の高さより大きくてもよい。つまり、補強部材９の下端面と一方の側部外観用板４０の下端面との間の寸法は、一方の側部周面板３２の高さより小さくならなければよい。これにより、補強部材９がフードの高さに影響を及ぼすことがないとともに、補強部材９が一方の側部外観用板４０の取り付けの邪魔にならない。
【００２６】
補強部材９はフード本体３に固着されている。例えば、補強部材９をフード本体３の上面板３４に接触し、ビス９ａで上面板３４に固着してある。
これにより、一方の側部外観用板４０をフード本体３に強固に取り付けることができる。しかも、補強部材９が上面板３４に接触していることで、一方の側部外観用板４０の高さ方向の歪みを防止できる。
【００２７】
図９と図１０に示すように、一方の側部外観用板４０は高さ方向の下部に内向きのフランジ４１を幅方向に亘って連続して有し、フランジ４１の下面が一方の側部外観用板４０の下端面である。
一方の側部外観用板４０の幅方向一側部に、内向きの前部フランジ４２を高さ方向に連続して有し、前部フランジ４２の外側面が一方の側部外観用板４０の前端面である。
一方の側部外観用板４０の幅方向の他側部に、内向きの後部フランジ４３を高さ方向に連続して有し、後部フランジ４３の外側面が一方の側部外観用板４０の後端面である。
前部フランジ４２の外側面と後部フランジ４３の外側面間の長さが一方の側部外観用板４０の幅である。
内向きとは、一方の側部外観用板４０の内側面４０ａよりも内側に突出していることである。つまり、一方の側部外観用板４０は、板材を折り曲げ加工したものである。
【００２８】
フランジ４１は、内側面４０ａと直角で、その突出方向の先端部分における一部分は下向きに折れ曲がり、斜め下向きの折曲部４４を形成している。
前部フランジ４２、後部フランジ４３の上部寄りは、内側面４０ａと直角な基部４２ａ、４３ａと、基部４２ａ、４３ａの突出端と連続し内側面４０ａと平行な先部４２ｂ、４３ｂとで鉤形状である。先部４２ｂ、４３ｂの上端寄りに内向きの取付受け片４２ｃ、４３ｃを有している。
前部フランジ４２、後部フランジ４３の下部寄りは、基部４２ａ、４３ａのみで、基部４２ａ、４３ａの突出長さは上部寄りの基部４２ａ、４３ａよりも短い。つまり、基部４２ａ、４３ａの突出側の下部寄り部分と先部４２ｂ、４３ｂの下部寄り部分を切断除去してある。前部フランジ４２、後部フランジ４３の下部寄りの高さ（上下方向の寸法）は一方の側部周面板３２の高さ（フード本体３の高さ）と同一である。
【００２９】
補強部材９は、本体部９０と、本体部９０の長手方向の両端に設けた取付部９１と、本体部９０の高さ方向の下端に設けた当接部９２を有している。
本体部９０は、一方の側部外観用板４０の幅と同一幅（わずかに短いものを含む）で、一方の側部外観用板４０の高さより短い高さの板状である。
取付部９１は、本体部９０の幅方向の端部と直角に連続し内側に向かう内向き片９１ａと、内向き片９１ａの突出端部と直角に連続し幅方向に向かう取付片９１ｂで鉤形の板状である。
当接部９２は、本体部９０の下端と直角に連続し内側に向かう板状である。つまり、補強部材９は板材を折り曲げ加工したものである。
【００３０】
図９に示すように、補強部材９は、本体部９０の全面を一方の側部外観用板４０の内側面４０ａに接し、各取付部９１の取付片９１ｂを一方の側部外観用板４０の前部、後部フランジ４２、４３の先部４２ｂ、４３ｂにビス９１ｃで固着して取り付けてある。取り付けはビスに限ることはなく、リベット、スポット溶接、接着剤などで固着してもよい。
補強部材９は、当接部９２の下面（補強部材９の下端面）が、一方の側部外観用板４０の前部、後部フランジ４２、４３における基部４２ａ、４３ａの切断面である先部４２ｂ、４３ｂの下端面（つまり、前部、後部フランジ４２、４３の上部寄りと下部寄りの境目）と同一高さで、本体部９０の上端面（補強部材９の上端面）は取付受け片４２ｃ、４３よりも下方に位置している。
つまり、補強部材９は、一方の側部外観用板４０を一方の側部周面板３２に取り付ける際に邪魔にならないように取り付けてある。
【００３１】
図１１から図１３に示すように、一方の側部外観用板４０はフード本体３に次のように取り付けてある。
フランジ４１が一方の側部周面板３２の下端面に接して、一方の側部外観用板４０が上方に移動しないようにしている。フランジ４１の先部４２ｂ、４３ｂの下端面はフード本体３の上面板３４に接して、一方の側部外観用板４０が下方に移動しないようにしている。前部フランジ４２の基部４２ａが、一方の側部周面板３２の前端面３２ｂに接して凹み部３６に収められ、後部フランジ４３の基部４３ａが、一方の側部周面板３２の後端面に接して、一方の側部外観用板４０が前後方向に動かないようにしている。
内側面４０ａが、一方の側部周面板３２の外側面３２ａに接しているとともに、補強部材９の当接部９２が上面板３４に接触し、ビス９ａで固着されていることで、一方の側部外観用板４０が下方に動かないようにしている。
【００３２】
図１４と図１５に示すように、フード本体３に前部外観用板５０を取り付けて前部周面板３５の全面を覆うと共に、フード本体３に後部外観用板６０を取り付けて後部周面板３１の全面を覆うことでフード２とする。
前部外観用板５０はフード本体３の上面板３４よりも上方に突出し、上端面は一方の側部外観用板４０の上端面と同一高さである。
後部外観用板６０はフード本体３の上面板３４よりも上方に突出し、上端面は一方の側部外観用板４０の上端面、前部外観用板５０の上端面と同一高さである。
つまり、外観用板４は、前部周面板３５の全面を覆う前部外観用板５０と、後部周面板３１の全面を覆う後部外観用板６０と、一方の側部周面板３２の全面を覆う一方の側部外観用板４０の３枚で、各外観用板４０、５０、６０の上端面は同一の高さで面一に連続している。
【００３３】
図１６に示すように、フード本体３の下部に内面パネル５を取り付け、内面パネル５にフィルタと整流板６を取り付けることで、図１と図２に示すレンジフード１とする。
これにより、フード２の外観上の高さ（フード２を見たときの高さ）は各外観用板４０、５０、６０の高さで、フード本体３の高さ（周面板の高さ）よりも高くなる。
したがって、フード本体３に高さの異なる外観用板４を取り付けることで、高さの異なるフード２とすることができ、フード本体３を共通として高さの異なる外観用板４を製作することができ、高さの異なるフード２を備えたレンジフード１を安価に製作できる。
この実施の形態では、平型レンジフードをフード本体３としているので、平型レンジフードを用いて高さの異なるフードを備えたレンジフードとすることができる。
なお、平型レンジフードを用いることなく、図５と図６に示すフード本体３を用いて高さの異なるフードを備えたレンジフードとすることが可能である。
【００３４】
図１７から図２３に基づき前部外観用板５０、後部外観用板６０、内面パネル５について説明する。
前部外観用板５０は板状で、その幅方向の両側の端部は、図１９に示すように折り曲げ部５１をそれぞれ有している。折り曲げ部５１は後部側に向う後向き片５２と、その後向き片５２の後端と連続し内側に向かう内向き片５３とで鉤形状である。
図２０に示すように、一方の折り曲げ部５１と一方の側部外観用板４０の前部フランジ４２が、前部周面板３５と一方の側部周面板３２からなる角部の凹み部３６に収められている。
つまり、内向き片５３の先端面が、前部周面板３５の一方の側端面３５ｂに当接し、前部フランジ４２が一方の側部周面板３２の前端面３２ｂに接している。
【００３５】
これにより、前部外観用板５０の一方の側部外観用板４０側の端面（板材の切断面）と、一方の側部外観用板４０の前部フランジ４２の端面（切断端面）が、レンジフード使用者などから見えないようにできるので、側部外観用板を有するレンジフードの意匠性が良い。
さらに、一方の側部外観用板４０の内側面４０ａが一方の側部周面板３２の外側面３２ａに接していることが相俟って、フード２の前後方向の寸法（奥行）、前後方向と直角方向の寸法（幅）が必要以上に大きくなることがない
【００３６】
図２１に示すように、他方の折り曲げ部５１は、前部周面板３５と他方の側部周面板３３からなる角部の凹み部３６に収められている。
つまり、内向き片５３の先端面が、前部周面板３５の他方の側端面３５ｃに当接し、他方の側部周面板３３の前端面３３ｂと相対向している。
したがって、一方の側部外観用板４０と同様な形状の他方の側部外観用板を、他方の側部周面板３３を覆うように取り付けた場合に、その前部フランジを内向き片５３と他方の側部周面板３３の前端面３３ｂの間に位置させ、前部外観用板５０の他方の側部外観用板側の端面と他方の側部外観用板の前部フランジの端面が、レンジフード使用者などから見えないようにできる。
つまり、２つの側部外観用板を取り付けたフードと、１つの側部外観用板を一方の側部周面板を覆うように取り付けたフードと、１つの側部外観用板を他方の側部周面板を覆うように取り付けたフードとに対応できる。
レンジフードを壁面と接するように取り付ける場合は、壁面側の面には、凹み部を設けなくとも良い。この場合には内向き片５３が無いため外観用板側の端面が露出するが、レンジフード取付状態においては端面は壁面によって隠れるため、使用者からは見えないようにできる。
【００３７】
図２２に示すように、前部外観用板５０の下部には内向きのフランジ５４を有している。フランジ５４は、前部周面板３５の下端面３５ｄに接している、図２２では、前部周面板３５の下面３５ｄに設けたＬ型材３７に接している。つまり、フランジ５４はフード本体の下面に接していればよい。
内面パネル５は、外周側に上向きのフランジ５ａを有している。フランジ５ａの後部側５ａ−１を後部周面板３１に支持し、前部寄りからねじ５ｂを前部周面板３５にねじ込むことで、内面パネルをフード本体３の下部に取り付けてある。
フランジ５ａの前部側５ａ−２は、前部外観用板５０のフランジ５４を押しつけるように取り付けられ、フランジ５４は、内面パネル５（フランジ５ａ）と前部周面板３５との間に挟まれている。
【００３８】
これにより、前部外観用板５０の下部はフード本体３に支持され、前部外観用板５０を強固に取り付けできる。
前部外観用板５０の上部寄りに支持材５５が取り付けられ、支持材５５をフード本体３の上面板３４に支持することで、前部外観用板５０の上部寄りを一方の側部外観用板４０で支持している。なお、前部外観用板５０、後部外観用板６０に補強部材９を取り付けてもよい。
【００３９】
図２３に示すように、一方の側部外観用板４０のフランジ４１は、一方の側部周面板３２の下端面３２ｄに接している。内面パネル５のフランジ５ａは、フランジ４１の屈曲部４４よりも外側に取り付けられている。
内面パネル５を取り付ける際は、そのフランジ５ａを屈曲部４４に接し、フランジ５ａを屈曲部４４に沿って滑らせながら内面パネル５を押し上げることで、フランジ５ａをフランジ４１に押しつけて位置決めして取り付ける。
このように、内面パネル５をフランジ４１の屈曲部４４をガイドとして位置決めでき、内面パネル５を位置決めして簡単に取り付けることができる。
【００４０】
以上の実施の形態のレンジフード１は、図２４（ａ）に示すように、フード本体３の他方の側部周面板３３を壁に接して設置する横付けタイプであり、他方の側部周面板３３がレンジフード使用者などから見えないので、他方の側部外観用板は取り付けていない。
これに限ることはなく、図２４（ｂ）に示すように、フード本体３の一方の側部周面板３２を壁に接して設置する横付けタイプの場合は、一方の側部周面板３２が見えずに他方の側部周面板３３が見えるから、他方の側部外観用板７０を取り付け、一方の側部外観用板は取り付けない。
図２４（ｃ）に示すように、フード本体３の後部周面板３１を壁に接して設置する壁付けタイプの場合は、後部周面板３１が見えずに一方の側部周面板３２と他方の側部周面板３３が見えるから、一方の側部外観用板４０と他方の側部外観用板７０を取り付け、後部外観用板は取り付けない。
【００４１】
図２４（ｄ）に示すように、フード本体３の後部周面板３１と他方の側部周面板３３を壁に接して設置する壁付けタイプの場合は、後部周面板３１と他方の側部周面板３３が見えず前部周面板３５と一方の側部周面板３２が見えるから、一方の側部外観用板４０と前部外観用板５０を取り付け、後部外観用板と他方の側部外観用板は取り付けない。
図２４（ｅ）に示すように、フード本体３の後部周面板３１と一方の側部周面板３２を壁に接して設置する壁付けタイプの場合は、後部周面板３１と一方の側部周面板３２が見えず前部周面板３５と他方の側部周面板３３が見えるから、他方の側部外観用板７０と前部外観用板５０を取り付け、後部外観用板と一方の側部外観用板は取り付けない。
【００４２】
図２４（ｆ）に示すように、壁には接しないで天井に吊り下げる天吊りタイプの場合は、フード本体の４つの周面板３５、３１、３２、３３が見えるので、前部外観用板５０、後部外観用板６０、一方の側部外観用板４０、他方の側部外観用板７０を取り付ける。
即ち、レンジフードの設置タイプにより、レンジフード使用者などが見えない周面板があるので、それに応じて外観用板の取り付けを変える。
なお、レンジフードの設置タイプに関係なく、レンジフード使用者などから見えない面の周面板にも外観用板を取り付けても良い。例えば、フード本体３の４つの周面板に外観用板を取り付けてもよい。
【００４３】
この実施の形態では、平型レンジフードを基準としてスクエア型のようなレンジフードとしたが、薄型レンジフードを基準としてスクエア型のようなレンジフードとすることも可能である。つまり、薄型レンジフードのフード本体の周面板に外観用板を取り付けて送風機ボックスがレンジフード使用者などから見えないようにする。この場合は、補強部材をフード本体の上面板に接触して取り付ける。又は補強部材の当接面を長くして送風機ボックスの上面板に接触して取り付ける。
【符号の説明】
【００４４】
１…レンジフード、２…フード、３…フード本体、４…外観用板、５…内面パネル、５ａ…フランジ、９…補強部材、３０…前部周面板、３１…後部周面板、３２…一方の側部周面板、３３…他方の側部周面板、３４…上面板、３５…新しい前部周面板、３６…凹み部、４０…一方の側部外観用板、４１…フランジ、４２…前部フランジ、４３…後部フランジ、４４…屈曲部、５０…前部外観用板、５１…折り曲げ部、５４…フランジ、６０…後部外観用板、７０…他方の側部外観用板。
【図１】
2020118302.tif 000003
【図２】
2020118302.tif 000004
【図３】
2020118302.tif 000005
【図４】
2020118302.tif 000006
【図５】
2020118302.tif 000007
【図６】
2020118302.tif 000008
【図７】
2020118302.tif 000009
【図８】
2020118302.tif 000010
【図９】
2020118302.tif 000011
【図１０】
2020118302.tif 000012
【図１１】
2020118302.tif 000013
【図１２】
2020118302.tif 000014
【図１３】
2020118302.tif 000015
【図１４】
2020118302.tif 000016
【図１５】
2020118302.tif 000017
【図１６】
2020118302.tif 000018
【図１７】
2020118302.tif 000019
【図１８】
2020118302.tif 000020
【図１９】
2020118302.tif 000021
【図２０】
2020118302.tif 000022
【図２１】
2020118302.tif 000023
【図２２】
2020118302.tif 000024
【図２３】
2020118302.tif 000025
【図２４】
2020118302.tif 000026